(57)【要約】【課題】  建物の外壁を貫通する換気口にあっては、換気フード体を外壁面に密着して間隙をシールする際に使用するコーキング材を全周囲に確実に施すことが困難であったり、外壁面にコーキング施工されている状態が外部から見えてしまうことから壁面の美観上に問題があったことに鑑み、これらの欠点を一掃し、コーキング施工によって建物上の美観に障害を与えない換気口部材を提供することを目的とする。【解決手段】  任意形状に成るフード体１の垂直周縁部２の内側方に水平周縁部４を設け、この水平周縁部と垂直周縁部とで形成する間隔部５にコーキング材１０を装着して成るものである。また、任意形状に成るフード体の垂直周縁部に内方に曲折した外側周縁部３を設け、この外側周縁部の内側方に間隔部をおいて前記外側周縁部より長く成る水平周縁部を設け、この水平周縁部と前記垂直周縁部とにより形成した前記間隔部にコーキング材を装着して成るものである。【選択図】    図６
2006104876.tif 000002
【特許請求の範囲】
【請求項１】
任意形状に成るフード体の垂直周縁部の内側方に水平周縁部を設け、この水平周縁部と前記垂直周縁部により形成する間隔部にコーキング材を装着して成ることを特徴とする建物用換気口。
【請求項２】
任意形状に成るフード体の垂直周縁部に内側方に曲折した外側周縁部を設け、この外側周縁部の内側方に間隔部をおいて前記外側周縁部より長く成る水平周縁部を設け、この水平周縁部と前記垂直周縁部により形成した前記間隔部にコーキング材を装着して成ることを特徴とする建物用換気口。
【請求項３】
フード体の左右両側部の上下端部に凹部及び取付通孔を設けて成る請求項１又は請求項２に記載した建物用換気口。
【発明の詳細な説明】
【技術分野】
【０００１】
本発明は、建物用換気口に関するものである。
【背景技術】
【０００２】
従来、建物の外壁を貫通する換気口にあっては、フード体のみで構成される場合、ベース材とその外部のフード体との組み合わせで構成される場合、換気口に取付ける円筒体とその外部の換気フード体との組み合わせで構成される場合などがあるが、換気フード体を外壁面に密着して間隙をシールする際に使用するコーキング材を全周囲に確実に施すことが困難であったり、外壁面にコーキング施工されている状態が外部から見えてしまう欠点があることから壁面の美観上に問題があった。
【０００３】
なお、本発明に関係すると思われる公知文献としては特許第３１３５２０８号，特許第３４０１５２７号，特許第３４０１５２８号などがある。
【０００４】
【特許文献１】特許第３１３５２０８号公報
【特許文献２】特許第３４０１５２７号公報
【特許文献３】特許第３４０１５２８号公報
【発明の開示】
【発明が解決しようとする課題】
【０００５】
そこで、本発明はこれらの欠点を一掃し、コーキング施工をすることによって建物上の美観に障害を与えない換気口部材を提供することを目的とするものである。
【課題を解決するための手段】
【０００６】
本発明は、任意形状に成るフード体の垂直周縁部の内側方に水平周縁部を設け、この水平周縁部と垂直周縁部とで形成する間隔部にコーキング材を装着して成るものである。
【０００７】
また本発明は、任意形状に成るフード体の垂直周縁部に内方に曲折した外側周縁部を設け、この外側周縁部の内側方に間隔部をおいて前記外側周縁部より長く成る水平周縁部を設け、この水平周縁部と前記垂直周縁部とにより形成した前記間隔部にコーキング材を装着して成るものである。
【発明の効果】
【０００８】
本発明は、フード体の垂直周縁部とその内側方の水平周縁部との間に形成した間隔部にコーキング材を装着するものであるから、本器具と外壁面との間のシール施工を確実に行うことができる。
【０００９】
前記間隔部への所定量のコーキング材の充填が確実に行われるから、充填不足によるコーキング切れが起こらず、止水防止の効果は極めて大きい。
【００１０】
本発明における前記間隔部の構成は、換気口の取付作業者が手抜きをしてコーキング施工を行わないことを確実に防止することに役立つことになる。
【００１１】
本発明はまた、外壁面への換気口の取付けに必要なコーキング材の装着状態を、フードの外側周縁部の外部からは視認することができないように構成するものであるから、換気口の取付けにより建物の外壁面の美観が汚損されるようなことはない。
【発明を実施するための最良の形態】
【００１２】
建物の必要箇所に換気口を設置するために、外壁面の所定箇所に設けた開口部にフード体を設置する際には、フード体側の周縁部にコーキング材を施して外壁面に装着しなければならないところ、コーキング材はフード体の外側周縁部の内側部に配置するようにしているから、装着後にそのコーキング材部分が隠れて見えない状態にすることができるし、この状態を長期間維持することができるようになる。
【００１３】
このコーキング材部分の構成は、外壁開口部に取付く円筒体がフード体と一体型に構成されていようと、別体型の着脱式に構成されていようと、あるいは円筒体ではなく基板に取付く別体型であろうと、同じ構成となる。
【実施例】
【００１４】
１は任意形状に成るフード体で、このフード体が有する垂直周縁部２には内側方に曲折した外側周縁部３を形成する。
【００１５】
４は前記外側周縁部３の内側方に平行に間隔部５をおいて突設した水平周縁部で、この水平周縁部の長さは前記外側周縁部３より長く成る。
【００１６】
６は前記フード体１の内側部に設けた取付板７の開口部１５にフランジ部１７を接合しかつその上端部分を取付板上の掛止片１６に係合する円筒体で、この円筒体６の下端部分はフード体の内部から螺子８によりフード体１の取付板７の通孔１６及び円筒体のフランジ部１７の通孔１８とを連結する。
【００１７】
この構成は、工事現場において、円筒体及びフード体を取付けて設置する場合のもので、図１，３，４，５，６に示している。
【００１８】
９は前記フード体１の取付板７の下方部に設けた流水板で、フード体の周面部に流れる雨水のガイドとなる。
【００１９】
１０は前記フード体１の外側周縁部３と水平周縁部４との間隔部５に充填装着するコーキング材で、このコーキング材はフード体の内側部に位置することから、内部に隠れ外部からは見えないようになる（図６参照）。
【００２０】
１１，１１，１１は前記フード体１の垂直周縁部２の適所に設けた半閉口に成る取付通孔で、この取付通孔は通常の建物の場合にあっては、前記垂直周縁部の外側周縁部と水平周縁部との間に形成した間隔部５にコーキング材１０を装着するから、不使用状態のままにある。
【００２１】
しかし、地方によっては風や雨雪に対して不安を有する建物があるから、そのような場合には前記半閉口の取付通孔１１に螺子を外壁ａに向けて挿着し、しかる後に前記間隔部５にコーキング材１０を装着することになる。
【００２２】
１２，１２，１２，１２は他の実施例（図２・図７参照）において前記フード体１の左右上下端部に形成した凹部で、この凹部には取付通孔１３，１３，１３，１３を設け、この取付通孔を介して外部から外壁ａに向けて螺子１４・・・を挿着する。
【００２３】
即ち、図２例の場合にあっては、取付通孔１３は、フード体１内側の間隔部５より外れたフード体一部に形成した凹部１２に設けているから、取付通孔１３を通る螺子１４は、前記間隔部５におけるコーキング材の装着部分から外れることになる。したがって、前記間隔部５に所定量のコーキング材の充填が確実に行われる（図７参照）。
【００２４】
図８乃至図１０は、外壁開口部に円筒体を装着しない場合の実施例を示し、外壁開口部に基板１９を接して螺子２０，２０，２０，２０を介して外壁面に固着するものである。
【００２５】
前記基板１９には開口部２１を設け、この開口部の周囲には凸出部２２を上側中央部に被掛止部２３を設けて形成する。
【００２６】
２４は前記フード体１を一体に設けた取付板で、この取付板の中央部には開口部２５を設け、この開口部の上側中央部には掛止部材２６を設ける。
【００２７】
前記フード体の取付板２４は、前記掛止部材２６を前記基板１９の被掛止部２３に係合することによって基板１９に取付くように成る。
【００２８】
前記フード体１は、その内部から螺子２７を、取付板２４の通孔２８及び前記基板１９の凸出部２２の通孔２９に挿入して連結し、これによってフード体１は垂直周縁部２及び水平周縁部４を介して基板２４の開口部２１面に接して固着するように成る。
【００２９】
前記フード体１の垂直周縁部２と水平周縁部４との間の間隔部５にはコーキング材１０を充填装着するように成る（図１０参照）。
【図面の簡単な説明】
【００３０】
【図１】フード体の正斜視図
【図２】他例のフード体の正斜視図
【図３】図１例の分離状態を示す背斜視図
【図４】図１例の背面図
【図５】図４Ａ−Ａ線の断面図
【図６】図４Ｂ−Ｂ線の取付状態時の断面図
【図７】図２例の取付状態時の要部の断面図
【図８】他々例の分離関係を示す正斜視図
【図９】図８例の一部材の中央部縦断面図
【図１０】図８例の取付状態時の中央部断面図
【符号の説明】
【００３１】
１                    フード体
２                    垂直周縁部
３                    外側周縁部
４                    水平周縁部
５                    間隔部
１０                  コーキング材
【図１】
2006104876.tif 000003
【図２】
2006104876.tif 000004
【図３】
2006104876.tif 000005
【図４】
2006104876.tif 000006
【図５】
2006104876.tif 000007
【図６】
2006104876.tif 000008
【図７】
2006104876.tif 000009
【図８】
2006104876.tif 000010
【図９】
2006104876.tif 000011
【図１０】
2006104876.tif 000012